(57)【要約】【課題】ジャイロ機構を用いたレーザーラインマーカーにおいては、傾きに対して高感度に振り子体の姿勢が保持される、反面、衝撃に弱い問題があった。【解決手段】振り子体２の揺動を制限するロック位置とこの制限を解除する非ロック位置とに変位可能に支持台１に設けられたロック部材２１を駆動源３２により変位状態を保持すると共に、支持台１に印加された衝撃の強度に対応した衝撃信号を発生する衝撃センサー１３からの衝撃信号に応じて駆動源３２を制御するようにし、前記衝撃信号があらかじめ設定される基準値レベル以上に達したときにロック部材２１をロック位置に変位させるように駆動源３２を制御する。【選択図】図１
2005114405.tif 000002
【特許請求の範囲】
【請求項１】
ジャイロ機構によって支持台に揺動可能に懸架される振り子体に線状の可視レーザー光を出射するレーザー出射ユニットを備え、水平方向あるいは／及び垂直方向に線状の可視レーザー光を出射するレーザーラインマーカーにおいて、前記振り子体の揺動を制限するロック位置とこの制限を解除する非ロック位置とに変位可能なロック部材を具備し、支持台に設置されて選択的に前記振り子体の揺動を制限するロック機構と、前記ロック部材の変位状態を保持する駆動源と、支持台に印加された衝撃の強度に対応した衝撃信号を発生する衝撃センサーと、この衝撃センサーからの衝撃信号に応じて前記駆動源を制御する制御回路とを備え、前記衝撃センサーからの衝撃信号があらかじめ設定される基準値レベル以上に達したときに前記制御回路により駆動源を制御して前記ロック部材をロック位置に変位させるようにしたことを特徴とするレーザーラインマーカー。
【請求項２】
前記制御回路は使用開始時及び使用終了時に操作される操作スイッチの操作によって駆動源を制御し、かつ、前記制御回路はレーザー出射ユニットのレーザー光源を駆動する駆動回路の作動を制御する制御信号を発生することを特徴とする請求項１記載のレーザーラインマーカー。
【請求項３】
前記駆動源はソレノイドであり、このソレノイドは使用終了時の操作スイッチの操作により励磁状態が解除され、この励磁状態の解除によりソレノイドの可動部が変位する力をロック機構により伝達してロック部材に印加し、該ロック部材をロック位置に変位させることを特徴とする請求項２記載のレーザーラインマーカー。
【請求項４】
使用状態にする操作スイッチの操作により前記ロック部材を押圧し、この押圧をロック機構により伝達してソレノイドの可動部に印加し、この可動部を変位させて前記ソレノイドが励磁状態になる補助を行わせることを特徴とする請求項３記載のレーザーラインマーカー。
【発明の詳細な説明】
【技術分野】
【０００１】
本発明は、ジャイロ機構によって支持台に揺動可能に懸架される振り子体にレーザー出射ユニットを備え、水平方向あるいは／及び垂直方向に線状の可視レーザー光を出射するレーザーラインマーカーに関する。
【背景技術】
【０００２】
建築及び住宅関連部門において、水平方向あるいは／及び垂直方向を正確に測定するために水平方向あるいは／及び垂直方向に線状の可視レーザー光を出射するレーザーラインマーカーが知られている。
【０００３】
このようなレーザーラインマーカーにおいては、一般にジンバル支持方式を用いたジャイロ機構によって支持台に揺動可能に振り子体を懸架し、この振り子体に線状の可視レーザー光を出射するレーザー出射ユニットを備え、これにより被照射物に水平方向あるいは／及び垂直方向に線状の可視レーザー光によりマーキングする（特許文献１参照）。
【特許文献１】登録実用新案第３０３０１５４号
【発明の開示】
【発明が解決しようとする課題】
【０００４】
上述したようにジャイロ機構を用いたレーザーラインマーカーにおいては、傾きに対して高感度に振り子体の姿勢が保持され、出射される線状の可視レーザー光を水平方向あるいは／及び垂直方向に保持することが可能であるが、反面、高感度であるがために、衝撃に弱い問題があった。
【０００５】
ところで、レーザーラインマーカーにおいては、不使用時に振り子体を保護する目的で振り子体を支持台に固定するロック機構が設けられている。このロック機構は、例えばレバー等の操作により振り子体の変位を規制するべく変位されるストッパーにより構成され、不使用時には前記ストッパーを振り子体の変位を規制するロック位置に変位させるようにしている。
【０００６】
但し、前記ストッパーは不使用時に操作によって振り子体の変位を規制するものであるので、使用時に衝撃を受けた場合には役立たない。
【課題を解決するための手段】
【０００７】
本発明は、振り子体の揺動を制限するロック位置とこの制限を解除する非ロック位置とに変位可能に支持台に設けられたロック部材を駆動源により変位状態を保持すると共に、支持台に印加された衝撃の強度に対応した衝撃信号を発生する衝撃センサーからの衝撃信号に応じて前記駆動源を制御するようにし、前記衝撃信号があらかじめ設定される基準値レベル以上に達したときに前記ロック部材をロック位置に変位させるように駆動源を制御する。
【発明の効果】
【０００８】
本発明のレーザーラインマーカーは、衝撃センサーから発生される衝撃信号があらかじめ設定される基準値レベル以上に達すると、ロック部材がロック位置に変位されて振り子体の揺動が制限されるので、使用時における振り子体が揺動可能な状態において衝撃により前記振り子体が機構的な限界まで激しく振られるのが防止され、振り子体の損傷、特に高精度なジャイロ機構及びレーザー出射ユニットの損傷を防止することができる。
【０００９】
この場合、振り子体の揺動を制限するだけでなく、レーザー出射ユニットのレーザー光源の駆動を停止させるようにしているので、衝撃時にレーザー発光が停止される。
【００１０】
また、不使用時に振り子体の変位を規制するのに用いられるロック部材を使用時において衝撃が付与されたときに振り子体の変位を規制するのに兼用しており、部品点数増加の抑制が図れ、合理的な構成にすることができる。
【実施例１】
【００１１】
図１は、本発明のレーザーラインマーカーの全体像を示す斜視図である。１は支持台、２はジンバル方式のジャイロ機構により支持台１に揺動可能に懸架された振り子体である。支持台１には対向して配置される各マグネットが付設される断面コ字状のヨーク３が左右側壁間の下方に架設されており、振り子体２に設けられた鉄板の舌片４が前記各マグネット間に配置されるようなっている。これにより振り子体２の振れに応じて前記舌片４に渦電流が発生し、振り子体２が制動される構成となっている。
【００１２】
５は振り子体２に組み込まれたレーザー出射ユニットである。このレーザー出射ユニット５は図２の部分断面図に示す如く、レーザー光源のレーザーダイオード６と、このレーザーダイオード６から発光された拡散光のレーザービームを平行光にするコリメータレンズ７と、このコリメータレンズ７を介した平行光のレーザービームを水平方向の一方向に広げる円柱状のシリンドリカルレンズ８とを備えている。
【００１３】
９は支持台１が固定されるドーナツ状の鋼板により構成される台座である。この台座９には、振り子体２の揺動を選択的に制限するロック機構が図３に示す展開斜視図の如く設置される。
【００１４】
このロック機構を組み立てた状態の平面図を図４及び図５に示す。図４はロック機構により振り子体２の揺動を制限していない非ロック状態を示し、図５はロック機構により振り子体２の揺動を制限しているロック状態を示している。
【００１５】
ロック機構は、台座９の上に重ねられる合成樹脂製のシャーシ１０上に組み立てられ、このシャーシ１０にはロック機構を構成する各部品を支持する各種突起が一体的に形成されると共に、回転軸となる各ピンが圧入により取り付けられている。
【００１６】
また、シャーシ１０上には、使用開始時に操作されるオンスイッチ１１及び使用終了時に操作されるオフスイッチ１２がハンダ付け固定されると共に、衝撃を検知して衝撃の強度に応じた衝撃信号を発生する衝撃センサー１３がハンダ付け固定されるプリント基板１４がネジ止め固定される。
【００１７】
オンスイッチ１１のノブを押圧する押圧部１５ａが形成されると共に、オフスイッチ１２のノブを押圧する押圧部１５ｂが形成されるスイッチレバー１５は、シャーシ１０上に圧入されたピン１６に軸支され、時計方向の回転力がバネ１７により付与されている。
【００１８】
そして、前記スイッチレバー１５は、このスイッチレバー１５と同軸上にピン１６に軸支されると共に、バネ１８により反時計方向の回転力が付与された補助レバー１９の規制片１９ａによって時計方向の変位が規制されており、前記補助レバー１９がシャーシ１０に一体に形成された突起２０に当接されて規制される位置に対応して前記スイッチレバー１５の位置は規制されている。
【００１９】
振り子体２の最下端部分２ａに当接する当接部２１ａを有するロックレバー２１は、スイッチレバー１５と同軸上にピン１６に軸支されると共に、バネ２２により時計方向の回
転力が付与され、スイッチレバー１５上に圧入されたピン２３に当接されて位置規制されている。
【００２０】
シャーシ１０上に圧入された回転軸２４に軸支されるトリガー作動レバー２５は、バネ２６により反時計方向の回転力が付与され、シャーシ１０に形成された孔２７の縁にトリガー作動レバー２５の折曲片２５ａが係合されることにより位置規制されている。そして、このトリガー作動レバー２５の一端にはソレノイド３２の可動チップ３２ａが係合されている。
【００２１】
シャーシ１０上の回転軸２４にトリガー作動レバー２５と同軸上に軸支されるトリガーレバー２８は、バネ２９により時計方向の回転力が付与され、トリガー作動レバー２５の縁にトリガーレバー２８の突起２８ａが係合されることにより位置規制されている。
【００２２】
スライダー３０は、スライダー３０に形成される各孔３０ａにシャーシ１０上に一体に形成される各突起が挿入されることによりシャーシ１０上を往復移動可能に設置され、バネ３１によりトリガー作動レバー２５から離れる方向の可動限界位置まで変位されるようになっている。
【００２３】
このように構成されるロック機構はソレノイド３２により非ロック状態が保持されるようになっており、このソレノイド３２は図６の回路ブロック図に示す回路により制御される。
【００２４】
図６において、バッテリー５０から供給される直流電圧はＤＣ／ＤＣコンバータ５１により所定の直流電圧に変換されて制御回路５２に供給される。制御回路５２はレーザーダイオード５３に（レーザーダイオード６に相当）を駆動するレーザー駆動回路５４を制御し、レーザーダイオード５３が適切な強度及びパルス幅の駆動パルスで駆動されるように制御する。
【００２５】
前記制御回路５２は比較回路５５及びオンスイッチ５６（オンスイッチ１１に相当）に応じてレーザー駆動回路５４を制御し、オンスイッチ５６が閉じられて制御回路５２に電源電圧+Ｂが印加された際にレーザー駆動回路５４を作動させてレーザーダイオード５３に駆動パルスを供給させる。
【００２６】
一方、オフスイッチ５７（オフスイッチ１２に相当）が閉じられると、比較回路５５はオフスイッチ５７を介して印加される電源電圧+Ｂと基準電圧Ｖrefとを比較してオフスイッチ５７が閉じられたことを検出し、この検出に応じて検出出力を制御回路５２に印加する。すると、前記制御回路５２はレーザーダイオード５３に供給される駆動パルスを停止させるようにレーザー駆動回路５４の作動を終了させる。
【００２７】
また、制御回路５２はソレノイド５８（ソレノイド３２に相当）の励磁を制御するようになっており、ソレノイド５８の制御はレーザーダイオード５３の制御に対応している。
【００２８】
すなわち、オンスイッチ５６が閉じられてレーザーダイオード５３の駆動が開始される際にソレノイド５８が励磁されるように制御され、一方、オフスイッチ５７が閉じられてレーザーダイオード５３の駆動が終了される際にソレノイド５８の励磁が解除されるように制御される。
【００２９】
また、比較回路５５には衝撃の強度に対応した衝撃信号を発生する衝撃センサー５９からの衝撃信号が供給され、この衝撃信号が基準電圧Ｖref以上である場合に比較回路５５はオフスイッチ５７が閉じられた際と同一の検出信号を制御回路５２に印加する。その為
、この際にも制御回路５２によりソレノイド５８の励磁が解除されるように制御される。
【００３０】
次に、ロック機構の各動作状態について説明する。
【００３１】
使用開始時において、スイッチレバー１５の操作片１５ｃを操作し、図７に示す如く、スイッチレバー１５を反時計回りに回動させる。すると、オンスイッチ１１が押圧部１５ａによって押圧されると共に、スイッチレバー１５上のピン２３によりロックレバー２１も反時計回りに回動される。同時に、スライダー３０が押圧されてトリガー作動レバー２５が時計回りに回動され、ソレノイド３２の可動チップ３２ａが押圧され、オンスイッチ１１のオンに伴うソレノイド３２の励磁によりソレノイド３２の可動チップ３２ａが吸着位置に保持される。
【００３２】
また、トリガー作動レバー２５が時計回りに回動されることによりトリガーレバー２８が時計回りに回動され、これによりロックレバー２１はトリガーレバー２８の爪部が係合されて反時計回りに回動された状態に保持される。
【００３３】
したがって、図４に示す如く、振り子体２の最下端部分２ａからロックレバー２１の当接部２１ａが離間しており、振り子体２の揺動を制限していない非ロック状態となっている。
【００３４】
尚、スイッチレバー１５の操作片１５ｃを放すと、スイッチレバー１５はバネ１７により時計回りに回動され、図４に示す如く、補助レバー１９の規制片１９ａに当接される位置に戻される。
【００３５】
使用終了時において、スイッチレバー１５の操作片１５ｃによりスイッチレバー１５を時計回りに回動させる。すると、オフスイッチ１２が押圧部１５ｂによって押圧され、ソレノイド３２の励磁が解除され、ソレノイド３２の可動チップ３２ａの吸着状態が解放される。その為、バネ２６による付勢力によりトリガー作動レバー２５が反時計回りに回動され、同時にトリガーレバー２８も反時計回りに回動され、これによりトリガーレバー２８とロックレバー２１との係合が外れ、バネ２２の付勢力によりロックレバー２１は時計回りに回動される。
【００３６】
したがって、図５に示す如く、ロックレバー２１の当接部２１ａが振り子体２の最下端部分２ａに当接されて振り子体２の揺動を制限するロック状態となる。
【００３７】
一方、ロック機構が図４に示す状態の使用時おいて、衝撃が印加されると、衝撃の強度に対応した衝撃信号が衝撃センサー５９（あるいは１３）から出力され、この衝撃信号が比較回路５５に供給されるので、この衝撃信号が基準電圧Ｖref以上である場合にオフスイッチ５７（あるいは１２）が閉じられた際と同一の検出信号が制御回路５２に印加される。その為、この際にも制御回路５２によりソレノイド５８（あるいは３２）の励磁が解除されるように制御される。
【００３８】
したがって、所定以上の衝撃が印加された際には、オフスイッチ５７（あるいは１２）が閉じられた際と同様にソレノイド３２の励磁が解除され、トリガーレバー２８とロックレバー２１との係合が外れ、ロックレバー２１は時計回りに回動された状態になり、この結果、振り子体２の揺動を制限するロック状態となる。
【図面の簡単な説明】
【００３９】
【図１】本発明のレーザーラインマーカーの全体像を示す斜視図である。
【図２】レーザー出射ユニット５の部分断面図である。
【図３】本発明のレーザーラインマーカーの主要部分のロック機構を示す展開斜視図である。
【図４】ロック機構の非ロック状態を示す平面図である。
【図５】ロック機構のロック状態を示す平面図である。
【図６】ロック機構の駆動源であるソレノイドの制御系を示す回路ブロック図である。
【図７】使用開始時の操作状態におけるロック機構の状態を説明する平面図である。
【符号の説明】
【００４０】
１        支持台
２        振り子体
５        レーザー出射ユニット
１１        オンスイッチ
１２        オフスイッチ
１３        衝撃センサー
１５        スイッチレバー
２１        ロックレバー
３２        ソレノイド
【図１】
2005114405.tif 000003
【図２】
2005114405.tif 000004
【図３】
2005114405.tif 000005
【図４】
2005114405.tif 000006
【図５】
2005114405.tif 000007
【図６】
2005114405.tif 000008
【図７】
2005114405.tif 000009